(57)【要約】  かご室の上部で生じる騒音を抑制するエレベーターかごを得る。エレベーターかご１００は、かご室１と、かご室１の天井面上部に設けられ、起立状態と、倒伏状態とに遷移可能な手摺６と、手摺６に設けられ、手摺６の倒伏状態において、天井面の少なくとも一部を覆う手摺カバー９と、を備える。また、エレベーターかご１００は、かご室１の周囲を囲み、かご室１を支持するかご枠４と、かご枠４によって天井面から離間した位置に支持される上枠５と、をさらに備え、手摺６は、上枠５に設けられたことを特徴とする。
2020148855.tif 000002
【特許請求の範囲】
【請求項１】
かご室と、
前記かご室の天井面上部に設けられ、起立状態と、倒伏状態とに遷移可能な手摺と、
前記手摺に設けられ、前記手摺の倒伏状態において、前記天井面の少なくとも一部を覆う手摺カバーと、
を備えるエレベーターかご。
【請求項２】
前記かご室の周囲を囲み、前記かご室を支持するかご枠と、
前記かご枠によって前記天井面から離間した位置に支持される上枠と、
をさらに備え、
前記手摺は、前記上枠に設けられたことを特徴とする請求項１記載のエレベーターかご。
【請求項３】
前記かご室上部に設けられた前記かご室のドアを開閉させるドア開閉装置をさらに備え、
前記手摺カバーは、前記手摺に設けられた前記手摺カバーの取り付け位置を調整し、前記手摺の倒伏状態における前記手摺カバーと前記ドア開閉装置との間隙幅を変更する調整機構によって前記手摺に取り付けられたことを特徴とする請求項１または請求項２に記載のエレベーターかご。
【請求項４】
前記かご室上部に設けられた前記かご室のドアを開閉させるドア開閉装置をさらに備え、
前記手摺カバーは、前記手摺の倒伏状態における前記手摺カバーと前記ドア開閉装置との間隙の少なくとも一部を覆うカバー部材を有することを特徴とする請求項１または請求項２に記載のエレベーターかご。
【請求項５】
前記天井面の形状は矩形であって、
前記手摺は、前記天井面の側方に一対に設けられ、
前記手摺の倒伏状態において前記天井面上で、一方の前記手摺に設けられた前記手摺カバーの少なくとも一部と、他方の前記手摺に設けられた前記手摺カバーの少なくとも一部とが重なり合うことを特徴とする請求項１から請求項４のいずれか１項に記載のエレベーターかご。
【請求項６】
前記天井面の形状は矩形であって、
前記手摺カバーは、前記手摺の倒伏状態において、前記手摺の形状に沿って前記手摺を覆うように前記手摺に設けられ、
前記手摺は、前記天井面の側方に一対に設けられ、
前記手摺は、前記天井面側に、一定の角度まで折れ曲がる回転部を有し、
前記手摺の倒伏状態における形状は、同一鉛直方向位置での一対の前記手摺間の距離が、鉛直上方に向かって漸減することを特徴とする請求項１から請求項４のいずれか１項に記載のエレベーターかご。
【請求項７】
前記手摺の倒伏状態において、前記天井面上で、一方の前記手摺に設けられた前記手摺カバーの少なくとも一部と、他方の前記手摺に設けられた前記手摺カバーの少なくとも一部とが重なり合うことを特徴とする請求項６に記載のエレベーターかご。
【請求項８】
前記手摺カバーは、前記手摺の起立状態において、水平方向に分割されていることを特徴とする請求項１から請求項７のいずれか１項に記載のエレベーターかご。
【請求項９】
前記手摺カバーは、前記手摺の倒伏状態における下方側の面に吸音材を有することを特徴とする請求項１から請求項８のいずれか１項に記載のエレベーターかご。
【請求項１０】
前記手摺カバーは、間に前記手摺を挟装するように設けられることを特徴とする請求項１から請求項９のいずれか１項に記載のエレベーターかご。
【発明の詳細な説明】
【技術分野】
【０００１】
この発明は、エレベーターかご上での保守作業等のためにエレベーターかご上作業用の手摺がエレベーターかご上部に装備されたエレベーターかごに関する。
【背景技術】
【０００２】
従来のエレベーターかごとして、エレベーターかご上機器の保守点検時に、エレベーターかご上での作業者の落下を防止する目的で手摺が設けられたエレベーターかごが提案されている。【０００３】
特許文献１に記載のエレベーターのかご上手摺装置は、通常昇降時に倒伏形態となり、保守点検時に起立形態となるため、常時起立形態の手摺が設けられたエレベーターかごに比べ、昇降路頂部におけるエレベーターかごの上昇余裕距離を短く設定することが可能となる。
【先行技術文献】
【特許文献】
【０００４】
【特許文献１】特開２００５−１３２５４７
【発明の概要】
【発明が解決しようとする課題】
【０００５】
特許文献１に記載のエレベーターのかご上手摺装置は、かご上昇時に、倒伏状態のかご上手摺装置及びかご上の機器を気流が通過して気流が乱れることで騒音が発生し、乗客の快適性を阻害するおそれがある。【０００６】
本発明は、上記のような課題を解決するためになされたもので、かご室の上部で生じる騒音を抑制するエレベーターかごを得るものである。
【課題を解決するための手段】
【０００７】
本発明に係るエレベーターかごは、かご室と、かご室の天井面上部に設けられ、起立状態と、倒伏状態とに遷移可能な手摺と、手摺に設けられ、手摺の倒伏状態において天井面の少なくとも一部を覆う手摺カバーと、を備える。
【発明の効果】
【０００８】
本発明に係るエレベーターかごによれば、かご室の上部で生じる騒音を抑制することができる。
【図面の簡単な説明】
【０００９】
【図１】本発明の手摺の起立状態における実施の形態１に係るエレベーターかごの要部を示す斜視図である。
【図２】本発明の手摺の倒伏状態における実施の形態１に係るエレベーターかごの要部を示す斜視図である。
【図３】本発明の手摺の倒伏状態における実施の形態１に係るエレベーターかごの要部を示す上面図と側面図である。
【図４】本発明の手摺の倒伏状態における実施の形態１に係るエレベーターかごの正面図である。
【図５】本発明の手摺の倒伏状態における実施の形態２に係るエレベーターかごの要部を示す上面図と側面図である。
【図６】本発明の手摺の倒伏状態における実施の形態３に係るエレベーターかごの要部を示す上面図と側面図である。
【図７】本発明の手摺の倒伏状態における実施の形態３に係るエレベーターかごのカバー部材の変形例を示した図である。
【図８】本発明の手摺の倒伏状態における実施の形態３に係るエレベーターかごのカバー部材の変形例を示した図である。
【図９】本発明の手摺の倒伏状態における実施の形態３に係るエレベーターかごのカバー部材の変形例を示した図である。
【図１０】本発明の手摺の起立状態における実施の形態４に係るエレベーターかごの要部を示す斜視図である。
【図１１】本発明の手摺の倒伏状態における実施の形態４に係るエレベーターかごの要部を示す上面図である。
【図１２】本発明の手摺の起立状態における実施の形態５に係るエレベーターかごの要部を示す斜視図である。
【図１３】本発明の手摺の倒伏状態における実施の形態５に係るエレベーターかごの要部を示す上面図と側面図である。
【図１４】本発明の手摺の起立状態における実施の形態６に係るエレベーターかごの要部を示す斜視図である。
【図１５】本発明の手摺の起立状態における実施の形態７に係るエレベーターかごの要部を示す斜視図である。
【図１６】本発明の手摺の起立状態における実施の形態７に係るエレベーターかごの要部を示す斜視図である。
【図１７】本発明の手摺の起立状態における実施の形態８に係るエレベーターかごの要部を示す斜視図である。
【図１８】本発明の手摺の倒伏状態における実施の形態８に係るエレベーターかごの手摺の一部拡大図である。
【図１９】本発明の実施の形態８に係るエレベーターかごの手摺の一部拡大図である。
【図２０】本発明の手摺の倒伏状態における実施の形態８に係るエレベーターかごの手摺の側面図である。
【図２１】本発明の実施の形態８に係るエレベーターかごの手摺の変形例を示した図である。
【図２２】本発明の手摺の起立状態における実施の形態８に係るエレベーターかごの要部を示す斜視図である。
【発明を実施するための形態】
【００１０】
以下、添付図面を参照して、本願が開示するエレベーターかごに係る実施の形態を詳細に説明する。なお、以下に示す実施の形態は一例であり、これらの実施の形態によって本発明が限定されるものではない。
【００１１】
実施の形態１．
図１は、手摺の起立状態における実施の形態１に係るエレベーターかごの要部を示す斜視図である。図２は、手摺の倒伏状態における実施の形態１に係るエレベーターかごの要部を示す斜視図である。図３は、実施の形態１に係るエレベーターかごの要部を示す上面図と側面図である。図３（ａ）が上面図であり、図３（ｂ）が側面図である。図１に示すように、エレベーターかご１００は、かご室１、かごドア２、ドア開閉装置３、かご枠４、上枠５、手摺６及び手摺カバー９を備える。かご室１は乗客が乗る空間を形成し、かごドア２はドア開閉装置３によって開閉され、かご室１への乗客の乗り入れを可能とする。かごドア２は、エレベーターの乗り場出入り口（図示せず）に対向するように配置される。ドア開閉装置３は、かごドア２を開閉する。ドア開閉装置３は、かごドア２の上部に配置され、かご室１の天井面よりも上方へ突出するように固定される。ここで、かごドア２が設けられたかご室１の乗り場側を正面側とする。また、図３（ａ）に示すＸ方向をエレベーターかご上面図における幅方向、Ｙ方向をエレベーターかご上面図における奥行き方向とする。ここで、幅方向とは、かごドア２の開閉方向を指し、奥行き方向とは、正面に対して垂直な方向を指す。
【００１２】
図４は、手摺の倒伏状態における実施の形態１に係るエレベーターかごの要部を示す正面図である。図４に示すように、かご室１は、かご枠４に固定され、ドア開閉装置３が設けられた乗り場側を正面とした場合のかご室１の両側面、天井面及び下面がかご枠４によって囲まれている。なお、かご室１の上面側のかご枠４は点線で示している。かご枠４は、かご室１を囲むこことでかご室１を支えている。
【００１３】
図１、図２及び図３に示すように、かご枠４は、天井面よりも上部に突出しているため、かご室１の天井面上部にかご枠４によって支持されている上枠５は、かご室１の天井面と所定の間隙を有して支持される。
【００１４】
手摺６は、かご室１の天井面に対して立ち上がって固定される起立状態と、かご室１の天井面に対して倒れて固定される倒伏状態とに遷移可能に設けられる。ここで、起立状態とは、かご室１の天井面に対して略鉛直に固定された状態であり、倒伏状態とは、かご室１の天井面に対して略水平に固定された状態である。なお、手摺６は、起立状態において必ずしも垂直に固定される必要はなく、倒伏状態において必ずしも水平に固定される必要はない。
【００１５】
図１に示すエレベーターかご１００の手摺６は、起立状態であり、図２に示すエレベーターかご１００の手摺６は、倒伏状態である。手摺６は、手摺６の起立状態において、かご室１の天井面に対して鉛直方向に設けられた一対の第１手摺６ａと、かご室１の天井面に対して水平方向に設けられ、一対の第１手摺６ａを互いに接続する第２手摺６ｂとで構成される。
【００１６】
図１に示すように、手摺６は、かご室１の天井面上部であって、正面に対して両側の外周部に沿って一対に設けられ、第１手摺６ａの下部に設けられた第１回転部７によって、手摺６が起立状態と倒伏状態とに遷移可能となるように、上枠５に回動可能に固定される。図１に示す矢印Ａは、手摺６の回動方向を示している。手摺６は、保守作業時には、起立状態に保持され、エレベーターの通常運転時には、倒伏状態に保持される。
【００１７】
また、手摺６は、かご室１の天井面上部の背面側の外周部に沿って補助手摺６１を備えている。補助手摺６１は、手摺６の起立状態において、第２回転部８によって手摺６の背面側の第１手摺６ａに水平方向に回動可能に固定される。図１に示す例では、補助手摺６１は、水平方向で補助手摺６１ａと補助手摺６１ｂとに分割形成されている。図１に示す矢印Ｂは、補助手摺６１ａの回動方向を示している。手摺６の起立状態において、一対の手摺６にそれぞれ設けられた補助手摺６１ａ及び補助手摺６１ｂは、係合部６２によって固定される。
【００１８】
第１回転部７及び第２回転部８として、例えば、ひんじ、蝶番、リンク機構又はスライド機構等を用いることができる。係合部６２は、例えば、嵌め込み又はねじ等によって補助手摺６１同士が係合する構成であればよい。
【００１９】
手摺カバー９は、手摺６に設けられ、手摺６の倒伏状態において、かご室１の天井面の少なくとも一部を覆う。具体的には、図３（ａ）に示すように、手摺カバー９は、手摺６の倒伏状態において、手摺６の全体及びかご室１の天井面を覆う構成である。手摺６に設けられた手摺カバー９によって、気流が倒伏状態の手摺６からかご室１の天井面へと通過することによる気流の乱れを抑制することができる。
【００２０】
図２では、手摺カバー９は、手摺６の倒伏状態において、手摺６の上方側に設けられているが、手摺６の下方側に設けられた構成とすることもできる。手摺カバー９を手摺６の下方側に設けた場合においても、手摺カバー９は、気流が倒伏状態の手摺６からかご室１の天井面へと通過して、気流が乱れることを防ぐことができる。つまり、手摺カバー９が手摺６に設けられ、手摺カバー９が手摺６の倒伏状態において、かご室１の天井面を覆う構成であれば、気流が倒伏状態の手摺６からかご室１の天井面へと通過することによる気流の乱れを抑制するため、かご室１の上部で生じる騒音を抑制できる。ここで、上方側とは、起立状態の手摺６の外側を指し、下方側とは、起立状態の手摺６の内側を指す。
【００２１】
図１、図２及び図３に示すように、かご室１の天井が矩形である場合、手摺６の倒伏状態において手摺カバー９の外形も矩形である例を示したが、手摺カバー９の形状は矩形に限るものではなく、例えば、略多角形状又は楕円形状でもよい。また、手摺カバー９は、例えば、手摺６にボルト又は溶接等で固定される。また、手摺カバー９は、かご室１昇降時の風圧に耐えることが要求され、素材としては鋼板、アルミ板又はシートカーボン等によって構成される。
【００２２】
次に、かご室１の天井面での保守作業について説明する。
【００２３】
保守作業時には、保守員は、かご室１の天井面に乗り込む前に、かご室１の天井面の両側に設けられた一対の手摺６の正面側の先端部を掴んで持ち上げる。次に、保守員は、かご室１の天井上に乗り込み、一対の手摺６にそれぞれ設けられた補助手摺６１を係合部６２によって固定する。これによって、エレベーターかご１００は、図１に示す状態に組み上がる。したがって、保守員は、図１に示すように組み上げられた起立状態の手摺６が設けられた天井面上において、昇降路内の機器の保守作業を行う。
【００２４】
実施の形態１に係るエレベーターかご１００では、かご室１の天井に設置されていた機器及び手摺６に衝突していた気流を手摺カバー９が受けることとなる。手摺６に設けられた手摺カバー９によって、気流が倒伏状態の手摺６からかご室１の天井面へと通過することによる気流の乱れを抑制することができ、かご室１の上部で生じる騒音を抑制できる。かご室１の上部で生じる騒音の抑制により、かご室１内を静音化でき、乗客の快適性が向上する。
【００２５】
また、実施の形態１に係るエレベーターかご１００は、かご室１の天井面から所定の間隙を有して支持された上枠５に手摺６が設けられるため、手摺６の倒伏状態においても手摺カバー９とかご室１の天井面との間には、隙間空間が形成される。隙間空間が形成されることによって、特別な構造を用いることなく、手摺カバー９とかご室１の天井に備えられた機器（例えば、換気装置）との干渉を防止することができる。さらに、隙間空間が形成されることによって、換気流路を確保できるため、換気装置の換気能力の低下を抑制し、更にかご室１の天井に備えられた機器の排熱性能の低下を抑制する。
【００２６】
また、実施の形態１に係るエレベーターかご１００の手摺カバー９は、手摺６の倒伏状態から起立状態への遷移を妨げる構成ではないため、手摺６を効率よく組み立てることが可能である。
【００２７】
実施の形態１に係るエレベーターかご１００は、かご室と、かご室の天井面上部に設けられ、起立状態と、倒伏状態とに遷移可能な手摺と、手摺に設けられ、手摺の倒伏状態において天井面の少なくとも一部を覆う手摺カバーと、を備える。
【００２８】
以上の構成によって実施の形態１に係るエレベーターかご１００は、かご室の上部で生じる騒音を抑制できる。
【００２９】
また、実施の形態１に係るエレベーターかご１００は、かご室の周囲を囲み、かご室を支持するかご枠と、かご枠によって天井面から離間した位置に支持される上枠と、をさらに備え、手摺は、上枠に設けられたことを特徴とする。
【００３０】
以上の構成によって実施の形態１に係るエレベーターかご１００は、換気流路を確保できるため、換気装置の換気能力の低下を抑制し、更にかご室１の天井に備えられた機器の排熱性能の低下を抑制できる。
【００３１】
実施の形態２．
本発明の実施の形態２に係るエレベーターかご２００の構成について説明する。なお、実施の形態１と同一または対応する構成については、その説明を省略し、構成の異なる部分のみを説明する。
【００３２】
図５は、手摺の倒伏状態における実施の形態２に係るエレベーターかごの要部を示す上面図と側面図である。図５（ａ）が上面図であり、図５（ｂ）が側面図である。エレベーターかご２００は、手摺６に固定される手摺カバー９の取り付け位置を調整機構１１によって調整して、倒伏状態における手摺６の手摺カバー９とドア開閉装置３との間隙幅を変更することができる構成である。
【００３３】
図５に示すように、エレベーターかご２００の手摺カバー９は、調整機構１１によって手摺６に固定される。具体的には、手摺カバー９は、手摺６に固定されるための固定穴が長穴１１ａであり、ボルト等の固定具１１ｂによって手摺６に取り付けられている。調整機構１１は、長穴１１ａ及び固定具１１ｂによって構成される。手摺６に手摺カバー９を固定するための固定穴が長穴１１ａであるため、固定具１１ｂを緩めることで、手摺６に対する手摺カバー９の取り付け位置を調整することができ、手摺６に対する手摺カバー９の位置を調整後に固定具１１ｂを締めることによって、手摺６に手摺カバー９を取り付けることができる。長穴１１ａ形状を適宜選択することによって、手摺カバー９の調整方向を決定することができる。図５に示す例では、長穴１１ａの形状は、手摺６に対する手摺カバー９の取り付け位置を奥行き方向に調整できるように、エレベーターかご上面図において奥行き方向に長軸を有する楕円形状である。
【００３４】
図５に示すように、手摺６の倒伏状態において、手摺カバー９とドア開閉装置３との間隙を間隙ｄ１とする。昇降時にドア開閉装置３の上部に衝突した気流の一部、及び手摺カバー９に衝突した気流の一部は、手摺カバー９とドア開閉装置３との間隙ｄ１に流れる。手摺カバー９とドア開閉装置３との間に間隙ｄ１があると、手摺カバー９とドア開閉装置３との間隙ｄ１を気流が通過する際に隙間音が発生する。
【００３５】
隙間音は、一種の共鳴音である。したがって、隙間音の抑制には、手摺カバー９とドア開閉装置３との間隙ｄ１の幅を調整する、又は手摺カバー９とドア開閉装置３との間隙ｄ１を無くす対策が有効である。
【００３６】
手摺カバー９とドア開閉装置３との間隙ｄ１は、２０ｍｍ以下とすることが好ましく、エレベーターの昇降速度が高速になるほど手摺カバー９とドア開閉装置３との間隙ｄ１を小さくすることがより好ましい。手摺カバー９とドア開閉装置３との間隙ｄ１は、手摺カバー９の正面側の一辺をドア開閉装置３と当接させ、隙間音が発生しないほど狭くすることが最も好ましい。
【００３７】
実施の形態２に係るエレベーターかご２００は、手摺６に固定される手摺カバー９の取り付け位置を調整機構１１によって調整できるため、実施の形態１に記載のかご室１の上部で生じる騒音を抑制する効果に加え、ドア開閉装置３の上部に衝突した気流の一部、及び手摺カバー９に衝突した気流の一部が手摺カバー９とドア開閉装置３との間隙ｄ１を通過する際の騒音を抑制できる。
【００３８】
実施の形態２に係るエレベーターかご２００は、かご室上部に設けられたかご室のドアを開閉させるドア開閉装置をさらに備え、手摺カバーは、手摺に設けられた手摺カバーの取り付け位置を調整し、倒伏状態における手摺の手摺カバーとドア開閉装置との間隙幅を変更する調整機構によって手摺に取り付けられたことを特徴とする。
【００３９】
以上の構成によって実施の形態２に係るエレベーターかご２００は、ドア開閉装置３の上部に衝突した気流の一部、及び手摺カバー９に衝突した気流の一部が、手摺カバー９とドア開閉装置３との間隙ｄ１を通過する際の騒音を抑制できる。
【００４０】
実施の形態３．
本発明の実施の形態３に係るエレベーターかご３００の構成について説明する。なお、実施の形態１と同一または対応する構成については、その説明を省略し、構成の異なる部分のみを説明する。
【００４１】
図６は、手摺の倒伏状態における実施の形態３に係るエレベーターかごの要部を示す上面図と側面図である。図６（ａ）が上面図であり、図６（ｂ）が側面図である。エレベーターかご３００は、手摺カバー９が、倒伏状態における手摺６の手摺カバー９とドア開閉装置３との間隙ｄ１の少なくとも一部を覆うカバー部材２１を有する構成である。
【００４２】
図６に示すように、エレベーターかご３００は、手摺カバー９が、倒伏状態における手摺６の手摺カバー９とドア開閉装置３との間隙を覆うカバー部材２１を有する。カバー部材２１は、例えば、鋼材又はアルミ材等から構成される。カバー部材２１は、例えば、プレス加工又は射出成形によって製造される。
【００４３】
図６（ｂ）に示す例では、カバー部材２１は、下板部２１ａ、支持板部２１ｂ及び上板部２１ｃを有する。図６（ｂ）に示す例では、下板部２１ａは手摺カバー９に固定され、上板部２１ｃはドア開閉装置３上部に位置しており、支持板部２１ｂは下板部２１ａから上板部２１ｃまで鉛直上方に伸び、下板部２１ａ及び上板部２１ｃと一体となっている。カバー部材２１は、例えば、ボルト、溶接又は接着材等で手摺カバー９に固定される。
【００４４】
カバー部材２１の形状は、図６に示す形状に限るものではなく、倒伏状態における手摺６の手摺カバー９とドア開閉装置３との間隙ｄ１を覆う形状であればよい。図７は、手摺の倒伏状態における実施の形態３に係るエレベーターかごのカバー部材の変形例を示した図である。図７（ａ）に示す例では、カバー部材２１は、下板部２１ａ、支持板部２１ｂ及び上板部２１ｃを有する。図７（ａ）に示すカバー部材２１は、下板部２１ａが手摺カバー９に固定され、上板部２１ｃがドア開閉装置３上部に位置しており、下板部２１ａ及び上板部２１ｃと一体となっている支持板部２１ｂは下側が凸となる円弧形状である。図７（ｂ）に示す例では、カバー部材２１は、下板部２１ａ及び支持板部２１ｂを有する。図７（ｂ）に示すカバー部材２１は、下板部２１ａが手摺カバー９に固定され、下板部２１ａからドア開閉装置３上部に向かって伸びる上側が凸となる円弧形状の支持板部２１ｂの端部がドア開閉装置３上部に位置している。図７（ｃ）に示す例では、カバー部材２１は、下板部２１ａ及び支持板部２１ｂを有する。図７（ｃ）に示すカバー部材２１は、下板部２１ａが手摺カバー９に固定され、下板部２１ａからドア開閉装置３上部に向かって伸びる直線状の支持板部２１ｂの端部がドア開閉装置３上部に位置している。図７（ｄ）に示す例では、カバー部材２１は、下板部２１ａ、支持板部２１ｂ及び上板部２１ｃを有する。図７（ｄ）に示すカバー部材２１は、下板部２１ａが手摺カバー９に固定され、上板部２１ｃがドア開閉装置３上部に位置しており、支持板部２１ｂが下板部２１ａに対して傾斜しており、支持板部２１ｂが下板部２１ａ及び上板部２１ｃと一体となっている。カバー部材２１は、図７に示すように、手摺カバー９とドア開閉装置３との間隙ｄ１を覆う形状であればよい。
【００４５】
カバー部材２１は、手摺カバー９とドア開閉装置３との間隙ｄ１を小さくすることにより、ドア開閉装置３の上部に衝突した気流の一部、及び手摺カバー９に衝突した気流の一部が手摺カバー９とドア開閉装置３との間隙ｄ１を通過する際の騒音を抑制できる。図６及び図７では、カバー部材２１が倒伏状態における手摺６の手摺カバー９とドア開閉装置３との間隙ｄ１全体を覆う例を説明したが、必ずしも間隙ｄ１全体を覆う必要はなく、カバー部材２１は間隙ｄ１の少なくとも一部を覆う形状であればよい。
【００４６】
実施の形態３に係るエレベーターかご３００のカバー部材２１は、倒伏状態における手摺６の手摺カバー９とドア開閉装置３との間隙ｄ１を覆うため、ドア開閉装置３の上部に衝突した気流の一部、及び手摺カバー９に衝突した気流の一部が、間隙ｄ１を通過することを妨げる。したがって、実施の形態３に係るエレベーターかご３００は、ドア開閉装置３の上部に衝突した気流の一部、及び手摺カバー９に衝突した気流の一部が間隙ｄ１を通過する際の騒音を抑制できる。
【００４７】
実施の形態３に係るエレベーターかご３００は、かご室上部に設けられたかご室のドアを開閉させるドア開閉装置をさらに備え、手摺カバーは、倒伏状態における手摺の手摺カバーとドア開閉装置との間隙の少なくとも一部を覆うカバー部材を有することを特徴とする。
【００４８】
以上の構成によって実施の形態３に係るエレベーターかご３００は、ドア開閉装置３の上部に衝突した気流の一部、及び手摺カバー９に衝突した気流の一部が手摺カバー９とドア開閉装置３との間隙ｄ１を通過する際の騒音を抑制できる。
【００４９】
次に、カバー部材２１の形状の変形例を説明する。図８及び図９は、手摺の倒伏状態における実施の形態３に係るエレベーターかごのカバー部材の変形例を示す図である。
【００５０】
図８は、手摺の倒伏状態における実施の形態３に係るエレベーターかごの要部を示す上面図と側面図である。図８（ａ）が上面図であり、図８（ｂ）が側面図である。図８に示すカバー部材２２は、一端部が手摺カバー９に固定され、他端部がドア開閉装置３に当接する平板状の部材である。カバー部材２２は、例えば、ゴム等から構成され、ボルト又は接着材等で手摺カバー９に固定される。
【００５１】
図９は、手摺の倒伏状態における実施の形態３に係るエレベーターかごの要部を示す上面図と側面図である。図９（ａ）が上面図であり、図９（ｂ）が側面図である。図９に示すカバー部材２３は、ブラシ部２３ａと固定部２３ｂとから構成される。ブラシ部２３ａにおいては、複数の棒状又は板状の部材が設けられ、固定部２３ｂに固定される。カバー部材２３は、固定部２３ｂが手摺カバー９に固定され、ブラシ部２３ａがドア開閉装置３に当接している。カバー部材２３の固定部２３ｂは、例えば、ボルト、溶接又は接着材等によって手摺カバー９に固定される。
【００５２】
図８及び図９に示すエレベーターかご３００のカバー部材２２，２３は、一端部がドア開閉装置３に当接する例を説明したが、手摺カバー９とドア開閉装置３との間隙ｄ１を小さくすることにより、ドア開閉装置３の上部に衝突した気流の一部、及び手摺カバー９に衝突した気流の一部が手摺カバー９とドア開閉装置３との間隙ｄ１を通過する際の騒音を抑制できるため、カバー部材２２，２３の一端部は必ずしもドア開閉装置３に当接する必要はない。
【００５３】
実施の形態４．
本発明の実施の形態４に係るエレベーターかご４００の構成について説明する。なお、実施の形態１と同一または対応する構成については、その説明を省略し、構成の異なる部分のみを説明する。
【００５４】
図１０は、手摺の起立状態における実施の形態４に係るエレベーターかごの要部を示す斜視図である。図１１は、手摺の倒伏状態における実施の形態４に係るエレベーターかごの要部を示す上面図である。エレベーターかご４００は、手摺カバー９が複数枚に分割された構成である。
【００５５】
手摺カバー９を分割することによって、手摺６に手摺カバー９を任意の場所から据え付けることができる。例えば、図１０に示すように、手摺カバー９は、手摺６の起立状態において、水平方向に分割されている構成である。したがって、手摺６の倒伏状態において、分割されている手摺カバー９を背面側から据え付けることができるため、手摺カバー９の据付作業用の足場を設ける必要がなくなり、手摺カバー９の据付作業時間を削減できる。
【００５６】
図１１に示すように、調整機構１１を用いて手摺６に手摺カバー９を取り付けることによって、分割された手摺カバー９間の距離ｄ２を調節して手摺カバー９を固定することができる。ここで、図１１において調整機構１１は、奥行き方向に長軸を有する円形形状の長穴１１ａ及び固定具１１ｂを備える。したがって、実施の形態４に係るエレベーターかご４００は、分割された手摺カバー９間の奥行き方向の距離ｄ２を調節して手摺６に手摺カバー９を固定することができるため、分割された手摺カバー９間の間隙から生じる隙間音等のかご室１の上部で生じる騒音を抑制でき、かご室１内の乗客の快適性を損なうこと無く、据付作業時間を削減できる。または、調整機構１１の長穴１１ａを幅方向に長軸を有する楕円形状とすることで、かご室１の天井面の両側に設けられた一対の手摺６にそれぞれ取り付けられた手摺カバー９の幅方向の間隙ｄ３を調整して、手摺６に手摺カバー９を固定することもできる。
【００５７】
実施の形態４に係るエレベーターかご４００において、手摺カバーは、手摺の起立状態において、鉛直方向に沿って、複数に分割されていることを特徴とする。
【００５８】
以上の構成によって実施の形態４に係るエレベーターかご４００は、手摺カバー９の据付作業時間を削減できる。
【００５９】
実施の形態５．
本発明の実施の形態５に係るエレベーターかご５００の構成について説明する。なお、実施の形態１と同一または対応する構成については、その説明を省略し、構成の異なる部分のみを説明する。
【００６０】
図１２は、手摺の起立状態における実施の形態５に係るエレベーターかごの要部を示す斜視図である。図１３は、手摺の倒伏状態における実施の形態５に係るエレベーターかごの要部を示す上面図と側面図である。図１３（ａ）が上面図であり、図１３（ｂ）が側面図である。エレベーターかご５００は、一対の手摺６がかご室１の天井面の両側に設けられ、手摺６の倒伏状態時にかご室１の天井面上で、一方の手摺６に設けられた手摺カバー９の少なくとも一部と、他方の手摺６に設けられた手摺カバー９の少なくとも一部とが重なり合う構成である。
【００６１】
図１３では、手摺カバー９が重なり合う箇所を斜線で示している。図１３に示すように、エレベーターかご５００は、一方の手摺６に設けられた手摺カバー９と、他方の手摺６に設けられた手摺カバー９とが、手摺６の倒伏状態において、かご室１の天井面の中央部において重なり合うため、手摺６の倒伏状態において、かご室１の天井面の両側に設けられた一対の手摺６にそれぞれ設けられた手摺カバー９間に間隙が生じない構成である。したがって、実施の形態５に係るエレベーターかご５００は、かご室１の天井面の両側に設けられた一対の手摺６にそれぞれ取り付けられた手摺カバー９間の間隙から生じる隙間音等のかご室１の上部で生じる騒音を抑制できる。
【００６２】
また、図１２に示すように、手摺カバー９に、手摺６の倒伏状態において、手摺カバー９の重なり合う箇所で挟まれるように緩衝部材３１を取り付けることで、手摺カバー９に衝突した気流の一部が、手摺カバー９が重なり合う箇所の間隙に流れ込むことで発生する隙間音を抑制することができる。緩衝部材３１は、例えば、ゴム等で形成され、接着材等によって手摺カバー９に固定される。
【００６３】
実施の形態５に係るエレベーターかご５００において、天井面の形状は矩形であって、手摺は、ドア開閉装置が天井面の側方に一対に設けられ、手摺の倒伏状態において、天井面上で、一方の手摺に設けられた手摺カバーの少なくとも一部と、他方の手摺に設けられた手摺カバーの少なくとも一部とが重なり合うことを特徴とする。
【００６４】
以上の構成によって実施の形態５に係るエレベーターかご５００は、かご室１の天井面の両側に設けられた一対の手摺６にそれぞれ取り付けられた手摺カバー９間の間隙から生じる隙間音等のかご室１の上部で生じる騒音を抑制できる。
【００６５】
実施の形態６．
本発明の実施の形態６に係るエレベーターかご６００の構成について説明する。なお、実施の形態１と同一または対応する構成については、その説明を省略し、構成の異なる部分のみを説明する。
【００６６】
図１４は、手摺の起立状態における実施の形態６に係るエレベーターかごの要部を示す斜視図である。エレベーターかご６００は、手摺カバー９の内側の面に吸音材４１を有する構成である。
【００６７】
図１４に示すように、エレベーターかご６００の手摺カバー９は、手摺６の起立状態における内側の面、すなわち手摺６の倒伏状態における下方側の面に吸音材４１が設けられている。吸音材４１は、例えば、スポンジ材、グラスウール又はロックウール等で形成されている。また、吸音材４１は、例えば、ボルト又は接着材等で手摺カバー９に固定される。
【００６８】
吸音材４１は、手摺６の倒伏状態において、かご室１と手摺カバー９との間に形成される隙間空間で発生する風切り音又は反響音等の騒音の一部を吸収し熱エネルギーに変換する。したがって、実施の形態６に係るエレベーターかご６００は、隙間空間で発生する風切り音又は反響音等の騒音を抑制し、乗客の快適性が向上する。
【００６９】
実施の形態６に係るエレベーターかご６００において、手摺カバーは、手摺の倒伏状態における下方側の面に吸音材を有することを特徴とする。
【００７０】
以上の構成によって実施の形態６に係るエレベーターかご６００は、隙間空間で発生する騒音を抑制できる。
【００７１】
実施の形態７．
本発明の実施の形態７に係るエレベーターかご７００の構成について説明する。なお、実施の形態１と同一または対応する構成については、その説明を省略し、構成の異なる部分のみを説明する。
【００７２】
図１５は、手摺の起立状態における実施の形態７に係るエレベーターかごの要部を示す斜視図である。エレベーターかご７００は、手摺６を間に挟装するように手摺カバー９が設けられる構成である。
【００７３】
図１５に示す矢印Ｂは補助手摺６１ａの回動方向を示しており、矢印Ｃは補助手摺６１ｂの回動方向を示している。図１６は、手摺の起立状態における実施の形態７に係るエレベーターかごの要部を示す斜視図である。図１６は、手摺６の起立状態において、補助手摺６１ａが図１５に示す矢印Ｂの方向に回動し、補助手摺６１ｂが図１５に示す矢印Ｃの方向に回動し、補助手摺６１がそれぞれ手摺６の側面側に固定された状態を示している。図１６に示すように、エレベーターかご７００の手摺６には、手摺６の起立状態における外側及び内側に手摺カバー９が設けられている。すなわち、手摺６の両側に手摺カバー９が設けられている。図１６において、手摺６の起立状態における内側に設けられた手摺カバー９は、斜線で示している。外側に設けられた手摺カバー９は、一体に形成されているが、内側に設けられた手摺カバー９は、手摺６の起立状態において、補助手摺６１が水平方向に回動可能となるように分割されている。例えば、図１６に示すように、手摺カバー９は、手摺カバー９ａ、手摺カバー９ｂ及び手摺カバー９ｃを有する。手摺カバー９ａは、補助手摺６１ａと同様の形状となるように分割され、補助手摺６１ａに取り付けられている。手摺カバー９ｂは、補助手摺６１ａの鉛直下方の手摺６に取り付けられている。手摺カバー９ｃは、手摺カバー９ａ及び手摺カバー９ｂが設けられていない正面側の手摺６に取り付けられている。なお、図１５では、手摺カバー９ｂと手摺カバー９ｃとは分割されている例を示したが、手摺カバー９ｂと手摺カバー９ｃとは一体であってもよい。
【００７４】
かご室１上昇時に手摺カバー９の外表面で発生する騒音の一部は、手摺カバー９を通過し、かご室１内に伝播する。したがって、手摺６を間に挟装するように手摺カバー９を設けて、手摺カバー９の遮音性能を向上させることで、かご室１への騒音の伝播を抑制することができる。
【００７５】
実施の形態７に係るエレベーターかご７００は、手摺６を間に挟装するように手摺カバー９が設けられているため、手摺カバー９の遮音性能が向上する。したがって、実施の形態７に係るエレベーターかご７００は、かご室１上昇時に手摺カバー９の外表面で発生する騒音がかご室１へと伝播することを抑制するため、乗客の快適性が向上する。
【００７６】
さらに、手摺６を間に挟装する手摺カバー９の内部空間に吸音材を挿入することで、吸音材の種類に応じた特定の周波数帯域の騒音を低減することができる。
【００７７】
実施の形態７に係るエレベーターかご７００において、手摺カバーは、間に手摺を挟装するように設けられることを特徴とする。
【００７８】
以上の構成によって実施の形態７に係るエレベーターかご７００は、かご室１上昇時に手摺カバー９の外表面で発生する騒音がかご室１へと伝播することを抑制できる。
【００７９】
実施の形態８．
本発明の実施の形態８に係るエレベーターかご８００の構成について説明する。なお、実施の形態１と同一または対応する構成については、その説明を省略し、構成の異なる部分のみを説明する。
【００８０】
図１７は、手摺の起立状態における実施の形態８のエレベーターかごの要部を示す斜視図である。図１８は、手摺の倒伏状態における実施の形態８のエレベーターかごの要部を示す斜視図である。図１７に示すように、かご室１の天井面に対して鉛直方向に設けられた第１手摺６ａは、天井面から鉛直上方の所定の位置に、かご室１の天井面側に一定の角度まで折れ曲がる回転部５１を有する。回転部５１は、例えば、ひんじ又は蝶番等である。
【００８１】
図１９は、実施の形態８に係るエレベーターかごの手摺を一部拡大した側面図である。図１９（ａ）は、起立状態の手摺を示す側面図であり、図１９（ｂ）は、倒伏状態の手摺を示す側面図である。図１９に示すように、第１手摺６ａは、起立状態で下側に位置する第１手摺６ａａと、起立状態で上側に位置する第１手摺６ａｂとが回転部５１で接続されている。第１手摺６ａｂの回転部５１との接続部には、第１手摺６ａの曲げ角度が一意に決まるように切り欠きが設けられている。なお、図１９では、第１手摺６ａｂに切り欠きが設けられた例を示したが、切り欠きは、第１手摺６ａａの回転部５１との接続部に設けられていてもよいし、第１手摺６ａａ及び第１手摺６ａｂの回転部５１との接続部にそれぞれ設けられてもよい。
【００８２】
図２０は、手摺の倒伏状態における実施の形態８に係るエレベーターかごの手摺の側面図である。図２０に示すように、倒伏状態における手摺６の形状は、同一鉛直方向位置での一対の手摺６間の距離が、鉛直上方に向かって漸減する形状である。つまり、エレベーターかご８００は、かご室１の天井面の側方に設けられた一対の手摺６の倒伏状態における、同一鉛直方向位置での一対の手摺６間の距離が、鉛直上方に向かって漸減する構成である。ここで、手摺カバー９は、手摺６の倒伏状態において、手摺６の形状に沿って手摺６を覆うように手摺６に設けられる。
【００８３】
図２１は、手摺に複数の回転部が設けられた例を示す図である。図２１（ａ）は、起立状態の手摺６を示す図であり、図２１（ｂ）は、倒伏状態の手摺６を示す図である。図２１に示すように、第１手摺６ａには、複数の回転部５１が設けられ、第１手摺６ａは、起立状態で下側に位置する第１手摺６ａａと、起立状態で上側に位置する第１手摺６ａｃと、第１手摺６ａａと第１手摺６ａｃとの間に位置する第１手摺６ａｂとを有する。第１手摺６ａａと第１手摺６ａｂとの間及び第１手摺６ａｂと第１手摺６ａｃとの間は、それぞれ回転部５１で接続されている。第１手摺６ａに回転部５１を複数設けることで、倒伏状態における手摺６の形状を任意に変更することが可能である。
【００８４】
実施の形態８に係るエレベーターかご８００は、手摺６の倒伏状態において、手摺６及び手摺カバー９の形状を流線形状に近づけることで、手摺カバー９に衝突した気流を整流でき、かご室１上昇時に手摺カバー９の外表面で発生する騒音を抑制することができる。
【００８５】
実施の形態８に係るエレベーターかご８００において、天井面の形状は矩形であって、手摺カバーは、手摺の倒伏状態において、手摺の形状に沿って手摺を覆うように手摺に設けられ、手摺は、ドア開閉装置が天井面の側方に対向するように一対に設けられ、手摺は、天井面側に、一定の角度まで折れ曲がる回転部を有し、手摺の倒伏状態における形状は、同一鉛直方向位置での一対の手摺間の距離が、鉛直上方に向かって漸減することを特徴とする。
【００８６】
図２２は、手摺の倒伏状態における実施の形態８のエレベーターかごの要部を示す斜視図である。図２２では、手摺カバー９が重なり合う箇所を斜線で示している。図２２に示す例では、一方の手摺６に設けられた手摺カバー９と、他方の手摺６に設けられた手摺カバー９とが、手摺６の倒伏状態において、かご室１の天井面の中央部において重なり合うため、手摺６の倒伏状態において、かご室１の天井面の両側に設けられた一対の手摺６にそれぞれ設けられた手摺カバー９間に間隙が生じない構成である。したがって、図２２に示すエレベーターかご８００は、かご室１の天井面の両側に設けられた一対の手摺６にそれぞれ取り付けられた手摺カバー９間の間隙から生じる隙間音等のかご室１の上部で生じる騒音を抑制できる。
【００８７】
以上の構成によって実施の形態８に係るエレベーターかご８００は、かご室１上昇時に手摺カバー９の外表面で発生する騒音を抑制することができる。
【００８８】
本発明は、発明の範囲内において、各実施の形態を自由に組み合わせることや、各実施の形態を適宜、変形、省略することが可能である。
【符号の説明】
【００８９】
１００，２００，３００，４００，５００，６００，７００，８００  エレベーターかご
１  かご室
２  かごドア
３  ドア開閉装置
４  かご枠
５  上枠
６  手摺
６ａ  第１手摺
６ｂ  第２手摺
７  第１回転部
８  第２回転部
９  手摺カバー
１１  調整機構
１１ａ  長穴
１１ｂ  固定具
２１，２２，２３  カバー部材
２１ａ  下板部
２１ｂ  支持板部
２１ｃ  上板部
２３ａ  ブラシ部
２３ｂ  固定部
３１  緩衝部材
４１  吸音材
５１  回転部
６１，６１ａ，６１ｂ  補助手摺
６２  係合部
【図１】
2020148855.tif 000003
【図２】
2020148855.tif 000004
【図３】
2020148855.tif 000005
【図４】
2020148855.tif 000006
【図５】
2020148855.tif 000007
【図６】
2020148855.tif 000008
【図７】
2020148855.tif 000009
【図８】
2020148855.tif 000010
【図９】
2020148855.tif 000011
【図１０】
2020148855.tif 000012
【図１１】
2020148855.tif 000013
【図１２】
2020148855.tif 000014
【図１３】
2020148855.tif 000015
【図１４】
2020148855.tif 000016
【図１５】
2020148855.tif 000017
【図１６】
2020148855.tif 000018
【図１７】
2020148855.tif 000019
【図１８】
2020148855.tif 000020
【図１９】
2020148855.tif 000021
【図２０】
2020148855.tif 000022
【図２１】
2020148855.tif 000023
【図２２】
2020148855.tif 000024
【手続補正書】
【提出日】令和3年1月27日(2021.1.27)
【手続補正１】
【補正対象書類名】明細書
【補正対象項目名】０００７
【補正方法】変更
【補正の内容】
【０００７】
本発明に係るエレベーターかごは、かご室と、かご室の天井面上部に設けられ、起立状
態と、倒伏状態とに遷移可能な手摺と、手摺に設けられ、手摺の倒伏状態において、天井
面の少なくとも一部を覆う手摺カバーと、かご室上部に設けられたかご室のドアを開閉さ
せるドア開閉装置と、を備え、手摺カバーは、手摺に設けられた手摺カバーの取り付け位
置を調整し、手摺の倒伏状態における手摺カバーとドア開閉装置との間隙幅を変更する調
整機構によって手摺に取り付けられる。
また、本発明に係るエレベーターかごは、かご室と、かご室の天井面上部に設けられ、
起立状態と、倒伏状態とに遷移可能な手摺と、手摺に設けられ、手摺の倒伏状態において
、天井面の少なくとも一部を覆う手摺カバーと、かご室上部に設けられたかご室のドアを
開閉させるドア開閉装置と、を備え、手摺カバーは、手摺の倒伏状態における手摺カバー
とドア開閉装置との間隙の少なくとも一部を覆うカバー部材を有する。
【手続補正２】
【補正対象書類名】特許請求の範囲
【補正対象項目名】全文
【補正方法】変更
【補正の内容】
【特許請求の範囲】
【請求項１】
かご室と、
前記かご室の天井面上部に設けられ、起立状態と、倒伏状態とに遷移可能な手摺と、
前記手摺に設けられ、前記手摺の倒伏状態において、前記天井面の少なくとも一部を覆
う手摺カバーと、
前記かご室上部に設けられた前記かご室のドアを開閉させるドア開閉装置と、
を備え、
前記手摺カバーは、前記手摺に設けられた前記手摺カバーの取り付け位置を調整し、前
記手摺の倒伏状態における前記手摺カバーと前記ドア開閉装置との間隙幅を変更する調整
機構によって前記手摺に取り付けられる、
エレベーターかご。
【請求項２】
かご室と、
前記かご室の天井面上部に設けられ、起立状態と、倒伏状態とに遷移可能な手摺と、
前記手摺に設けられ、前記手摺の倒伏状態において、前記天井面の少なくとも一部を覆
う手摺カバーと、
前記かご室上部に設けられた前記かご室のドアを開閉させるドア開閉装置と、
を備え、
前記手摺カバーは、前記手摺の倒伏状態における前記手摺カバーと前記ドア開閉装置と
の間隙の少なくとも一部を覆うカバー部材を有する、
エレベーターかご。
【請求項３】
前記かご室の周囲を囲み、前記かご室を支持するかご枠と、前記かご枠によって前記天
井面から離間した位置に支持される上枠と、
をさらに備え、
前記手摺は、前記上枠に設けられたことを特徴とする請求項１又は２記載のエレベータ
ーかご。
【請求項４】
前記天井面の形状は矩形であって、
前記手摺は、前記天井面の側方に一対に設けられ、
前記手摺の倒伏状態において前記天井面上で、一方の前記手摺に設けられた前記手摺カ
バーの少なくとも一部と、他方の前記手摺に設けられた前記手摺カバーの少なくとも一部
とが重なり合うことを特徴とする請求項１から請求項３のいずれか１項に記載のエレベー
ターかご。
【請求項５】
前記天井面の形状は矩形であって、
前記手摺カバーは、前記手摺の倒伏状態において、前記手摺の形状に沿って前記手摺を
覆うように前記手摺に設けられ、
前記手摺は、前記天井面の側方に一対に設けられ、
前記手摺は、前記天井面側に、一定の角度まで折れ曲がる回転部を有し、
前記手摺の倒伏状態における形状は、同一鉛直方向位置での一対の前記手摺間の距離が
、鉛直上方に向かって漸減することを特徴とする請求項１から請求項３のいずれか１項に
記載のエレベーターかご。
【請求項６】
前記手摺の倒伏状態において、前記天井面上で、一方の前記手摺に設けられた前記手摺
カバーの少なくとも一部と、他方の前記手摺に設けられた前記手摺カバーの少なくとも一
部とが重なり合うことを特徴とする請求項５に記載のエレベーターかご。
【請求項７】
前記手摺カバーは、前記手摺の起立状態において、水平方向に分割されていることを特
徴とする請求項１から請求項６のいずれか１項に記載のエレベーターかご。
【請求項８】
前記手摺カバーは、前記手摺の倒伏状態における下方側の面に吸音材を有することを特
徴とする請求項１から請求項７のいずれか１項に記載のエレベーターかご。
【請求項９】
前記手摺カバーは、間に前記手摺を挟装するように設けられることを特徴とする請求項
１から請求項８のいずれか１項に記載のエレベーターかご。
【国際調査報告】
2020148855.tif 000025
2020148855.tif 000026
2020148855.tif 000027
2020148855.tif 000028